(57)【要約】【課題】メンテナンス作業性を簡素化することができると共に、陳列室内を効果的に照明することができる照明装置を備えたショーケースを提供する。【解決手段】本発明のショーケース１は、本体２内に構成された陳列室１１内をＬＥＤ照明装置４０により照明して成るものであって、ＬＥＤ照明装置４０は、ＬＥＤ素子４６を備えたＬＥＤ照明部材４３と、本体２のキャノピー３３の反射板４５に取り付けられてＬＥＤ照明部材４３を保持する一対の保持部材４４、４４とから構成され、ＬＥＤ照明部材４３からの光の照射角度が変更可能とされている。【選択図】図３
2008302141.tif 000002
【特許請求の範囲】
【請求項１】
本体内に構成された陳列室内を照明装置により照明して成るショーケースにおいて、
前記照明装置は、ＬＥＤ素子を備えたＬＥＤ照明部材と、前記本体に取り付けられて前記ＬＥＤ照明部材を保持する保持部材とから構成され、前記ＬＥＤ照明部材からの光の照射角度が変更可能とされていることを特徴とするショーケース。
【請求項２】
前記保持部材に対して、前記ＬＥＤ照明部材の長手方向の軸を中心として回動させることにより当該ＬＥＤ照明部材からの光の照射角度が変更可能とされていることを特徴とする請求項１に記載のショーケース。
【請求項３】
前記保持部材は、前記ＬＥＤ照明部材の長手方向の両端部に対応して一対設けられると共に、前記ＬＥＤ照明部材は、長手方向の両端部に設けられ、前記保持部材内に挿入されて保持される装着部を備え、
前記装着部及び前記保持部材のうちの何れか一方に形成された係合部を、他方に形成された複数の被係合部のうちの何れかの被係合部に選択的に係合させることにより、当該ＬＥＤ照明部材からの光の照射角度が変更可能とされていることを特徴とする請求項２に記載のショーケース。
【請求項４】
前記ＬＥＤ照明部材は、前記ＬＥＤ素子が取り付けられた基板と、放熱部材と、該放熱部材に係合して取り付けられ、少なくとも一面が反射面とされた反射板とを備え、
該反射板は、前記ＬＥＤ素子を前記反射面側に臨ませた状態で、前記基板を前記放熱部材に押し付けることを特徴とする請求項１乃至請求項３の何れかに記載のショーケース。
【請求項５】
前記放熱部材の外面は、前記ＬＥＤ照明部材の長手方向の軸を中心とした円弧状を呈することを特徴とする請求項４に記載のショーケース。
【請求項６】
前記保持部材は、前記本体に形成された蛍光灯用ソケットの取付孔に係合可能な取付脚部を備えることを特徴とする請求項１乃至請求項５の何れかに記載のショーケース。
【発明の詳細な説明】
【技術分野】
【０００１】
本発明は、断熱壁内に陳列室を構成し、該陳列室内にて商品を冷却しながら陳列して成るショーケースであって、特に、陳列室内の照明に関するものである。
【背景技術】
【０００２】
従来よりこの種ショーケースには、例えば特許文献１や図１８に示される如きオープンショーケース１００がある。図１８は従来のオープンショーケース１００の縦断側面図を示している。係るオープンショーケース１００は、断面略コ字状の断熱壁１０１の開口１０２上縁に形成した吐出口１０３から、開口１０２下縁の吸込口１０４に向けて冷気を吐出することにより、前記開口１０２に冷気エアーカーテンを形成する。これにより、断熱壁１０１にて囲繞された陳列室１０５内は所定の温度に冷却される。そして、開口１０２上縁の外側に位置するキャノピー１０７や開口１０２両側縁及び棚１０６前部下面などに複数の蛍光灯１０８を取り付け陳列室１０５内及びショーケース１００自体の照明を行っていた。
【特許文献１】特開平５−１４６３４６号公報
【発明の開示】
【発明が解決しようとする課題】
【０００３】
ところが、従来のオープンショーケース１００において、照明装置として用いられている蛍光灯１０８は、経年劣化による輝度の低下や点灯不良により、交換作業が余儀なくされる。そのため、使用者は、蛍光灯１０８の交換作業を強いられることとなり、作業が煩雑となる問題がある。交換のため新しい蛍光灯１０８を常備しておく必要があり、当該蛍光灯１０８の保管場所を確保する必要がある。更には、当該蛍光灯１０８内に水銀が含有されていることから、使用後の蛍光灯１０８を容易に廃棄することができないという問題があった。
【０００４】
また、蛍光灯１０８を陳列室１０５内に取り付けるためには、ソケットや安定器等の部品が必要となるため、取り付け位置には、蛍光灯のみならず、ソケットや安定器などの取り付け場所をも確保する必要がある。また、それぞれの蛍光灯に給電を行うための配線接続を行わなければならず、組み立て作業性が悪化すると共に、部品点数の増加と生産コストの高騰を招く問題があった。更に、蛍光灯は、交流を使用するためチラツキが生じる問題があるため、目に悪影響を及ぼす問題がある。
【０００５】
そこで、本発明は、従来の技術的課題を解決するために成されたものであり、メンテナンス作業性を簡素化することができると共に、陳列室内を効果的に照明することができる照明装置を備えたショーケースを提供する。
【課題を解決するための手段】
【０００６】
本発明のショーケースは、本体内に構成された陳列室内を照明装置により照明して成るものであって、照明装置は、ＬＥＤ素子を備えたＬＥＤ照明部材と、本体に取り付けられてＬＥＤ照明部材を保持する保持部材とから構成され、ＬＥＤ照明部材からの光の照射角度が変更可能とされていることを特徴とする。
【０００７】
請求項２の発明のショーケースは、上記発明において、保持部材に対して、ＬＥＤ照明部材の長手方向の軸を中心として回動させることにより当該ＬＥＤ照明部材からの光の照射角度が変更可能とされていることを特徴とする。
【０００８】
請求項３の発明のショーケースは、上記発明において、保持部材は、ＬＥＤ照明部材の長手方向の両端部に対応して一対設けられると共に、ＬＥＤ照明部材は、長手方向の両端部に設けられ、保持部材内に挿入されて保持される装着部を備え、装着部及び保持部材のうちの何れか一方に形成された係合部を、他方に形成された複数の被係合部のうちの何れかの被係合部に選択的に係合させることにより、当該ＬＥＤ照明部材からの光の照射角度が変更可能とされていることを特徴とする。
【０００９】
請求項４の発明のショーケースは、上記各発明において、ＬＥＤ照明部材は、ＬＥＤ素子が取り付けられた基板と、放熱部材と、該放熱部材に係合して取り付けられ、少なくとも一面が反射面とされた反射板とを備え、該反射板は、ＬＥＤ素子を反射面側に臨ませた状態で、基板を放熱部材に押し付けることを特徴とする。
【００１０】
請求項５の発明のショーケースは、上記発明において、放熱部材の外面は、ＬＥＤ照明部材の長手方向の軸を中心とした円弧状を呈することを特徴とする。
【００１１】
請求項６の発明のショーケースは、上記各発明において、保持部材は、本体に形成された蛍光灯用ソケットの取付孔に係合可能な取付脚部を備えることを特徴とする。
【発明の効果】
【００１２】
本発明によれば、本体内に構成された陳列室内を照明装置により照明して成るショーケースにおいて、照明装置は、ＬＥＤ素子を備えたＬＥＤ照明部材と、本体に取り付けられてＬＥＤ照明部材を保持する保持部材とから構成され、ＬＥＤ照明部材からの光の照射角度が変更可能とされていることにより、ＬＥＤ素子から平行に直進して来る照射光を任意の方向に指向させることができるため、取り付けられた位置に応じて必要な照射位置に向けて角度変更することが可能となる。
【００１３】
これにより、当該照明装置を本体のキャノピーや棚などに取り付けた場合であっても、良好な照明効果を実現することが可能となる。
【００１４】
また、当該ＬＥＤ照明装置は、陳列室内に陳列される商品に、有害な紫外線や熱線を放射しないため、従来の蛍光灯などに比して商品を加熱することなく照明することが可能となる。
【００１５】
請求項２の発明によれば、上記発明において、保持部材に対して、ＬＥＤ照明部材の長手方向の軸を中心として回動させることにより当該ＬＥＤ照明部材からの光の照射角度が変更可能とされているため、簡単にＬＥＤ照明部材からの照射角度を変更することが可能となる。
【００１６】
請求項３の発明によれば、上記発明において、保持部材は、ＬＥＤ照明部材の長手方向の両端部に対応して一対設けられると共に、ＬＥＤ照明部材は、長手方向の両端部に設けられ、保持部材内に挿入されて保持される装着部を備え、装着部及び保持部材のうちの何れか一方に形成された係合部を、他方に形成された複数の被係合部のうちの何れかの被係合部に選択的に係合させることにより、当該ＬＥＤ照明部材からの光の照射角度が変更可能とされているため、当該ＬＥＤ照明部材による光の照射角度を安定的に保持することが可能となる。これにより、適切な商品照明を維持することが可能となる。
【００１７】
請求項４の発明によれば、上記各発明において、ＬＥＤ照明部材は、ＬＥＤ素子が取り付けられた基板と、放熱部材と、該放熱部材に係合して取り付けられ、少なくとも一面が反射面とされた反射板とを備え、該反射板は、ＬＥＤ素子を反射面側に臨ませた状態で、基板を放熱部材に押し付けることにより、ネジ等の固定部材を用いることなく容易にＬＥＤ素子が取り付けられた基板を保持することが可能となり、部品点数の削減を図ることが可能となる。
【００１８】
また、当該基板には放熱部材が押し付けられた状態で取り付けられているため、基板から発生する熱を効率的に放出することができ、円滑な照明を実現することが可能となる。
【００１９】
請求項５の発明によれば、上記発明において、放熱部材の外面は、ＬＥＤ照明部材の長手方向の軸を中心とした円弧状を呈することにより、当該ＬＥＤ照明部材の回動による角度調整を支障なく行うことが可能となる。
【００２０】
また、請求項６の発明によれば、上記各発明において、保持部材は、本体に形成された蛍光灯用ソケットの取付孔に係合可能な取付脚部を備えるため、蛍光灯により陳列室内の照明を行っていた既存のショーケースであっても、当該蛍光灯の取付に用いられていた蛍光灯用ソケットの取付孔を利用して当該保持部材を取り付けることが可能となり、汎用性の拡大を図ることができる。
【発明を実施するための最良の形態】
【００２１】
次に、図面を参照して本発明の実施形態について詳述する。図１は本発明を適用したオープンショーケース１の斜視図、図２は図１のオープンショーケース１の縦断側面図をそれぞれ示している。オープンショーケース１は、例えばスーパーマーケットなどの店舗内に据え付けられる縦型のオープンショーケースであり、前面に開口する断面略コ字状の断熱壁（本体）２と、据え付け現場において断熱壁２の側面に取り付けられた断熱性の側板５、５とから構成されている。
【００２２】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板４の下端前方には、底板９が断熱壁２の底壁２Ａとの間にダクト用の間隔を存して取り付けられており、これら仕切板４及び底板９の内側を陳列室１１としている。
【００２３】
また、この陳列室１１内には、高さ及び取付角度が変更可能であると共に、陳列室１１内背部の図示しない支柱に取り付けられる一対のブラケット３１及びこれらと共に棚を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。
【００２４】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００２５】
一方、底板９下方後部には断熱壁２の底壁２Ａ上に前記内層ダクト及び外層ダクトのそれぞれに対応する送風機３０Ａ、３０Ｂが設置されている。
【００２６】
背部仕切板４後方の内層ダクト内には冷却装置の冷却器３９が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２７】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２８】
次に、図３のショーケース１の部分拡大断面図を参照して、断熱壁２の天壁２Ｂ前部の構成について説明する。断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。
【００２９】
この反射板４５は、化粧塗装が施された金属板にて構成されており、本実施例における反射板４５の前部は、上前方から陳列室１１の前面開口１２を臨む角度、すなわち、後斜め下方の陳列室１１方向に面して構成されている。そして、前部の左右側部には、ＬＥＤ照明装置４０の保持部材４２を係脱自在に取り付けるための照明取付孔４１が形成されている。なお、本実施例では、ＬＥＤ照明装置４０は、陳列室１１の前面開口１２の一方の側部から他方の側部に渡って長手方向に延在して取り付けられるため、左右側部にそれぞれ照明取付孔４１が形成されているが、これに限定されるものではなく、前面開口１２の長手方向に渡って複数のＬＥＤ照明装置４０を直列に配置して取り付ける場合には、それぞれのＬＥＤ照明装置４０の側部に対応する位置に照明取付孔４１が形成されているものとする。
【００３０】
本実施例におけるＬＥＤ照明装置４０は、ＬＥＤ照明部材４３と、当該ＬＥＤ照明部材４３を係脱自在に保持する保持部材４２とから構成されている。以下、図４乃至図１５を参照して本願発明に係るＬＥＤ照明装置４０について詳述する。図４はＬＥＤ照明部材４３の平面図、図５はＬＥＤ照明部材４３の一側部が保持部材４２に取り付けられた状態を示す一部断面図、図６はＬＥＤ照明部材４３の縦断面図、図７はＬＥＤ照明部材４３の反射板及びＬＥＤ素子の分解斜視図、図８はＬＥＤ照明部材４３の装着部４４の側面図、図９は同じく装着部４４の正面図、図１０はＬＥＤ照明部材４３の縦断面図、図１１は保持部材４２の一部透視側面図、図１２は保持部材４２の正面図、図１３乃至図１５は保持部材４２に保持された状態のＬＥＤ照明部材４３の縦断面図をそれぞれ示している。
【００３１】
ＬＥＤ照明部材４３は、複数のＬＥＤ素子４６が配設された基板４７と、放熱部材４８と、反射板４９と、装着部４４とから構成されている。基板４７は、長手方向に延在して構成されており、当該基板４７には、図７に示す如く所定間隔を存して複数のＬＥＤ素子４６が取り付けられている。本実施例におけるＬＥＤ素子４６は、チップタイプの白色のＬＥＤ素子であり、本実施例では、オープンショーケース１の前面開口１２が６尺（約１８３０ｍｍ程度）延在して形成されているため、当該ＬＥＤ素子４６は、１０８個程度使用する。
【００３２】
放熱部材４８は、前記基板４７と同様に前面開口１２の長手方向に渡って延在して形成される熱良導性部材である。当該外面４８Ａは、ＬＥＤ照明部材４３の長手方向の軸（後述する回動軸Ｘ）を中心とした円弧状を呈していると共に、外面から内方に向けて複数のスリット４８Ｄが形成されている。
【００３３】
そして、この円弧状の外面４８Ａに対する弦を構成する側の放熱部材４８の端面には、長手方向に渡って基板収容部４８Ｂが内方に向けて凹陥形成されている。この基板収容部４８Ｂの回動軸Ｘと略平行に位置する上端縁部には、少許回動軸Ｘに向けて突出された係合爪４８Ｃ、４８Ｃが形成されている。また、放熱部材４８の円弧に対する弦を構成する側の端面には、当該基板収容部４８Ｂを外方から被覆するための透光性の無色透明の材料により構成されたシェード５０が着脱自在に取り付けられる。
【００３４】
そして、放熱部材４８の基板収容部４８Ｂには、前記基板４７が取り付けられた反射板４９が収容される。反射板４９は、基板４７と同様に長手方向に渡って形成される板状部材であり、長手方向に渡って複数のＬＥＤ素子用孔４９Ａ・・・が形成されている。そして、このＬＥＤ素子用孔４９Ａが形成されている反射板４９の長手方向に延在する両端部は、図７に示すように光照射側、本実施例では、陳列室１１側に向けて所定角度にて折曲形成された反射面４９Ｂとされている。当該反射面４９Ｂは、所定間隔を存して外方から内方に向けて複数の切欠４９Ｃが形成されている。
【００３５】
係る構成により、ＬＥＤ素子４６が取り付けられた基板４７を反射板４９の光照射側とは反対側の面に宛がい、ＬＥＤ素子４６を反射板４９に形成されたＬＥＤ素子用孔４９Ａを介して反射面４９Ｂ側（光照射側）に臨ませた状態とする。この状態の反射板４９を放熱部材４８の基板収容部４８Ｂ内に収容し、当該反射板４９の反射面４８Ｂの両端部は、基板収容部４８Ｂ上縁に形成された係合爪４８Ｃに係合される。このとき、反射板４９の両端部は、ＬＥＤ素子用孔４９Ａが形成されている面に対し、所定角度にて折曲形成されていることから、反射面４９Ｂと、係合爪４８Ｃとの係合により、ＬＥＤ素子用孔４９Ａが形成される面、すなわち、基板４７が取り付けられた面は、放熱部材４８の円弧側に向けて押し付けられることとなる。なお、反射面４９Ｂには、上述した如く複数の切欠４９Ｃが形成されているため、容易に係合爪４８Ｃと係合させることが可能となる。
【００３６】
これにより、ネジ等の固定部材を用いることなく容易にＬＥＤ素子４６が取り付けられた基板４７を放熱部材４８に保持することが可能となり、部品点数の削減を図ることが可能となる。そして、基板４７は、放熱部材４８に押し付けられた状態で取り付けられることから、ＬＥＤ素子４６の発光により発熱する基板４７の熱を効率的に放熱部材４８に伝達し、放出することができ、円滑な照明を実現することが可能となる。
【００３７】
そして、上述した如く基板４７が取り付けられた放熱部材４８の長手方向の両端部には、装着部４４がネジ４４Ａ、４４Ａにより固定されている。なお、図６における４８Ｅ、４８Ｅは、装着部４４と放熱部材４８とをネジ４４Ａにより螺着するするためのネジ穴である。この装着部４４は、放熱部材４８の両端部を閉塞する外形半円弧状の本体５１と、当該本体５１の外面側（ＬＥＤ照明部材４３が取り付けられる側とは反対側、すなわち、後述する保持部材４２側）に設けられる取付部５２とから構成される。
【００３８】
本実施例における取付部５２は、断面略円形を呈しており、当該円形の中心は、放熱部材４８を形成する円弧の中心と略同一とされており、取付部５２の回動軸は、前記軸Ｘとほぼ同様となるように構成されている。そして、取付部５２の外面には、軸Ｘに対し、ある一定の角度おきに、例えば３０°毎に係合溝５３が形成されている。なお本実施例では、図８に示すようにＡ１〜Ａ７の７つの係合溝５３が形成されており、これらは、主に、ＬＥＤ照明部材４３のＬＥＤ素子４６による光照射側に位置して形成されている。なお、これら係合溝５３は、後述する保持部材４２の係合部５８と係脱自在に係合するための被係合部を構成するものである。
【００３９】
また、この取付部５２は、放熱部材４８の基板収容部４８Ｂ内と外部とを連通する配線引出孔５２Ａが形成されている。そのため、基板収容部４８Ｂ内に収容される基板４７の配線は、当該配線引出孔５２Ａを介して外部に引き出され、本体２内に配線接続される。
【００４０】
次に、保持部材４２の構成について説明する。この保持部材４２は、ＬＥＤ照明部材４３の長手方向の両端部に対応して一対、オープンショーケース１の本体２、ここでは、キャノピー３３内の反射板４５に設けられるＬＥＤ照明部材４３の取付用の部材である。本実施例における保持部材４２は、それぞれ取り付けられるＬＥＤ照明部材４３側に開口する保持部５５と、当該保持部５５を本体２側、ここでは、キャノピー３３の反射板４５に形成される照明取付孔４１に取り付けるための係合爪５６Ａが形成された取付脚部５６及び押さえ板５７とを有している。
【００４１】
保持部５５は、ＬＥＤ照明部材４３側が開口する有底円筒状を呈しており、当該内壁面には、内方に向けて突出して、前記装着部４４の何れかの係合溝５３と係脱自在に係合する係合部５８が形成されている。なお、本実施例において、当該係合部５８は、保持部材４２の本体２側への取付側と対向する位置、具体的には、ＬＥＤ照明部材４３による光照射側に位置して形成されている。また、保持部５５の奥方の側面は、配線引出孔５５Ａが貫通形成されている。なお、本実施例において用いられる保持部材５５は、ある程度の可撓性を有する材料にて構成されているものとする。
【００４２】
なお、従来のオープンショーケースでは、本願発明に係るＬＥＤ照明装置に代わって蛍光灯などが取り付けられている。この場合、蛍光灯を本体２に係脱自在に取り付けるためのソケットが設けられており、このソケット取付用の孔として用いられていた取付孔を本願発明における照明取付孔４１として用いても良い。
【００４３】
係る構成により、本願発明に係るＬＥＤ照明装置４０の取付方法について、説明する。まず、上述した如き一対の保持部材４２に形成されるそれぞれの取付脚部５６の係合爪５６Ａをキャノピー３３の反射板４５に形成される照明取付孔４１に挿入係合させる。その後、上述した如きＬＥＤ素子４６や装着部４４等が組み込まれたＬＥＤ照明部材４３をＬＥＤ素子４６の光照射角度を任意の角度となるように陳列室１１内に向けた状態で、ＬＥＤ照明部材４３の長手方向の両端部に対応して設けられるそれぞれの保持部材４２の保持部５５内に、装着部４４の取付部５２を挿入し、当該保持部材４２が有する可撓性を利用して、取付部５２に形成される何れかの係合溝５３と保持部５５内に形成される係合部５８とを係脱自在に係合させる。
【００４４】
これにより、ＬＥＤ照明部材４３を任意の角度に保持した状態で、キャノピー３３の反射板４５に固定することが可能となる。また、本実施例において、ＬＥＤ照明装置４０により光照射角度を変更する場合には、一旦、ＬＥＤ照明部材４３を保持部材４２から取り外し、ＬＥＤ照明部材４３の長手方向の回動軸Ｘを中心として回動させることにより、保持部５５の係合部５８と係合させる係合溝５３を選択し、当該選択された係合溝５３を係合部５８と係合させる。これにより、ＬＥＤ照明部材４３からの光の照射角度を任意に変更可能とすることができる。また、当該構成により、ＬＥＤ照明部材４３による光の照射角度を安定的に保持することが可能となり、適切な商品照明を維持することが可能となる。
【００４５】
なお、図１３は、保持部５５の係合部５８と係合させる係合溝５３を係合溝Ａ４を使用した状態を示しており、この場合、ＬＥＤ素子４６からの照射光は、当該ＬＥＤ照明部材４３が取り付けられる反射板４５の面と略平行の角度から陳列室１１内に向けて光を照射することが可能となる。また、図１４は、保持部５５の係合部５８と係合させる係合溝５３を係合溝Ａ３を使用した状態を示しており、この場合、ＬＥＤ素子４６からの光は、比較的陳列室１１の前部や前方などに向けて照射することが可能となる。図１５は、保持部５５の係合部５８と係合させる係合溝５３を係合溝Ａ６を使用した状態を示しており、この場合、ＬＥＤ素子４６からの光は、比較的陳列室１１の奥部に向けて照射することが可能となる。
【００４６】
この場合において、上述したようにＬＥＤ照明部材４３を構成する放熱部材４８の断面外面４８Ａは、回動軸Ｘを中心とした円弧状を呈しているため、取付位置によって、放熱部材４８が周辺機器に干渉することによる不都合を回避することが可能となる。
【００４７】
これにより、ＬＥＤ照明部材４３のＬＥＤ素子４６から略平行に直進して来る照射光を任意の方向に指向させることができ、陳列室１１内に陳列される商品や、当該キャノピー３３に取り付けられる位置に応じて必要とされる照射位置に向けて、照射光を供給することが可能となるため、照明効果の向上を図ることが可能となる。
【００４８】
なお、本実施例では、ＬＥＤ照明部材４３を構成する装着部４４側に複数の被係合部を形成し、保持部材４２側に係合部５８を形成しているが、これに限定されるものではなく、係合部をＬＥＤ照明部材４３を構成する装着部４４側に形成し、保持部材４２側に係合溝などの被係合部を形成してもよく、また、被係合部と係合部の数は、これに限定されなくても同様の効果を奏することが可能となる。
【００４９】
更に、本実施例では、ＬＥＤ照明部材４３による照射角度を変更する場合には、上述したように一旦取り外し、何れかの係合溝３２を選択的に、保持部材４２の係合部５８と係合させることにより実現しているが、これに限定されるものではなく、保持部材４２の保持部５５や装着部４４の取付部５２が所定の可撓性を有するものであれば、保持部材４２に装着部４４が取り付けられた状態のまま、回動軸Ｘを中心に取付部５２を回動させることで、ＬＥＤ照明部材４３からの照射光の角度を変更可能なものとしても良い。
【００５０】
これにより、簡単にＬＥＤ照明部材４３からの照射角度を変更することが可能となるため、利便性の向上を図ることが可能となる。
【００５１】
また、本実施例では、ＬＥＤ照明部材４３を本体２側であるキャノピー３３の反射板４５に取り付ける手段として本体２側に固定された保持部材４２を用いているが、これ以外にも、図１６に示すように、既存のショーケースなどにおいて断面円形の蛍光灯を保持するために用いられていた断面略Ｃ字状のクリップを用いても良い。これにより、格別に係合部５８が形成された保持部材４２を用いることなく、既存のショーケースにおいて、使用されていた蛍光灯保持用のクリップ６０を用いて本願発明に係るＬＥＤ照明部材４３を保持することが可能となり、且つ、当該ＬＥＤ照明部材４３をクリップ６０に保持させた状態のままクリップ６０に対し、回動軸Ｘを中心に回動させることで、支障なく照射角度を変更することが可能となる。従って、汎用性の拡大を図ることができ、既存ショーケースであっても、当該照明装置４０により、適切な照明を実現することが可能となる。
【００５２】
また、この場合であっても、ＬＥＤ照明部材４３を構成する放熱部材４８の外面４８Ａは、円弧状を呈しているため、クリップ６０による保持を確実なものとすることができる。
【００５３】
なお、この場合において、ＬＥＤ照明部材４３は、クリップ６０によって、当該ＬＥＤ照明部材４３が取り付けられる面（ここでは、反射板４５）に対して当接した状態で取り付けられているものとする。これにより、当該ＬＥＤ照明部材４３の基板４７による発熱を放熱部材４８のみならず、当接する反射板４５によっても放熱することができ、放熱効率の向上を図ることが可能となる。なお、当該反射板４５に放熱部材４８を当接させる構造は、クリップ６０による保持に限定されるものではなく、上述した如き保持部材４４を用いて保持させた場合においても採用し、これにより、放熱効率の向上を実現しても良い。
【００５４】
また、当該ＬＥＤ照明装置４０と略同様に構成されたＬＥＤ照明装置６１を図１７に示すように、陳列室１１内の棚板３２の下面前部に長手方向に渡って取り付けられても良い。係る場合には、棚板３２の前部に左右に渡って延在して構成される補強部材６２に保持部材４４を取り付けるための係合孔６３を形成し、当該係合孔６３に保持部材４４の取付脚部５６を挿入することにより係止させ、当該保持部材４４により、上記ＬＥＤ照明装置４０と同様のＬＥＤ照明部材４３の長手方向の両端を保持させる。
【００５５】
これにより、当該棚板３２の下部であっても、キャノピー３３の反射板４５に設けられる場合と同様に、照射角度を任意に調整可能に取り付けることが可能となり、良好な照明効果を実現することが可能となる。
【００５６】
なお、上述した如きＬＥＤ照明装置４０や６１の取付位置は、キャノピー３３の反射板４５や棚板３２下面前部に限定されるものではなく、これ以外にも、前面開口１２下縁を形成するハンドレールなどに設けても、同様の効果を奏することが可能となり、照明による演出効果を向上させることが可能となる。
【００５７】
また、上述した如きＬＥＤ照明装置４０、６１は、陳列室１１内に陳列される商品に、有害な紫外線や熱線を放射しないため、従来の蛍光灯などに比して商品を加熱することなく照明することが可能となる。更に、ＬＥＤ素子４６による照明は、従来用いられていた蛍光灯とは異なり、ちらつきが生じないため、安定した照明を行うことができ、適切な商品の照明を実現することができる。更に、ＬＥＤ素子４６による照明は、調光を容易に変更することが可能であるため、陳列室１１内に陳列される商品に応じて、調光を変化させることで、より一層効果的な照明が可能となる。
【００５８】
更にまた、ＬＥＤ素子４６は、蛍光灯に比して、耐用年数が著しく長いため、照明の交換作業を不要とすることができる。そのため、交換部品の常備や交換によって排出される廃棄物の処理など煩雑な作業を不要とすることができる。
【００５９】
また、本実施例では、所謂縦型のオープンショーケースにＬＥＤ照明装置４０を取り付けたものを例として挙げているが、これに限定されるものではなく、平型のオープンショーケースであっても同様の効果を奏することが可能となる。
【図面の簡単な説明】
【００６０】
【図１】本発明を適用したオープンショーケースの斜視図である。
【図２】図１のオープンショーケースの縦断側面図である。
【図３】図２の部分拡大断面図である。
【図４】ＬＥＤ照明部材の平面図である。
【図５】ＬＥＤ照明部材の一側部が保持部材に取り付けられた状態を示す一部断面図である。
【図６】ＬＥＤ照明部材の縦断面図である。
【図７】ＬＥＤ照明部材の反射板及びＬＥＤ素子の分解斜視図である。
【図８】ＬＥＤ照明部材の装着部の側面図である。
【図９】同じく装着部の正面図である。
【図１０】ＬＥＤ照明部材の縦断面図である。
【図１１】保持部材の一部透視側面図である。
【図１２】保持部材の正面図である。
【図１３】保持部材に保持された状態のＬＥＤ照明部材の縦断面図である。
【図１４】保持部材に保持された状態のＬＥＤ照明部材の縦断面図である。
【図１５】保持部材に保持された状態のＬＥＤ照明部材の縦断面図である。
【図１６】他の実施例としてのＬＥＤ照明部材の縦断面図である。
【図１７】棚板下面に設けられた状態のＬＥＤ照明装置の縦断側面図である。
【図１８】従来のオープンショーケースの縦断側面図である。
【符号の説明】
【００６１】
１    オープンショーケース
２    断熱壁
１１  陳列室
１２  前面開口
１６、１７  吐出口
１８、１９  吸込口
２６、４５  反射板
３２  棚板（棚）
３３  キャノピー
３９  冷却器
４０、６１  ＬＥＤ照明装置
４１、６３  照明取付部
４１Ａ  照明取付面
４２  保持部材
４３  ＬＥＤ照明部材
４４  装着部
４５  反射板
４６  ＬＥＤ素子
４７  基板
４８  放熱部材
４８Ａ  外面
４８Ｂ  基板収容部
４８Ｃ  係合爪
４９  反射板
４９Ａ  ＬＥＤ素子用孔
４９Ｂ  反射面
５０  シェード
５１  本体
５２  取付部
５２Ａ  配線引出孔
５３（Ａ１〜Ａ７）  係合溝（被係合部）
５５  保持部
５５Ａ  配線引出孔
５６  取付脚部
５６Ａ  係合爪
６０  クリップ
６２  補強部材
【図１】
2008302141.tif 000003
【図２】
2008302141.tif 000004
【図３】
2008302141.tif 000005
【図４】
2008302141.tif 000006
【図５】
2008302141.tif 000007
【図６】
2008302141.tif 000008
【図７】
2008302141.tif 000009
【図８】
2008302141.tif 000010
【図９】
2008302141.tif 000011
【図１０】
2008302141.tif 000012
【図１１】
2008302141.tif 000013
【図１２】
2008302141.tif 000014
【図１３】
2008302141.tif 000015
【図１４】
2008302141.tif 000016
【図１５】
2008302141.tif 000017
【図１６】
2008302141.tif 000018
【図１７】
2008302141.tif 000019
【図１８】
2008302141.tif 000020